(57)【要約】【課題】  マスト上の任意の高さに固定したプラットフォームに対し、人荷を安全にケージで上下運搬、移動させることの可能な人荷昇降装置付き移動昇降式足場並びにこれらを用いた施工方法及びこれらの設置方法を提供すること。【解決手段】長手方向を上下方向に配向して設置されたマスト２及びこのマストに対し昇降するプラットホーム３１を備えた移動昇降式足場３を設ける。マストに対し昇降するケージ４１を備えた人荷昇降装置４を設ける。プラットホーム３１はケージ４１側に張り出しプラットホーム３１から人荷が上下移動することの可能なゲート５を設ける。ゲート５は、プラットホーム３１にケージ４１が近接した際に、このゲート５及びケージ４１の出入口４ｙ、５ｙが近接し、略水平移動により人荷がゲート５及びケージ４１間で乗り移りが可能に構成されている。【選択図】    図６
2019112218.tif 000002
【特許請求の範囲】
【請求項１】
長手方向を上下方向に配向して設置されたマスト及びこのマストに対し昇降するプラットホームを備えた移動昇降式足場を設け、
前記マストに対し昇降するケージを備えた人荷昇降装置を設け、
前記プラットホームには前記ケージ側に張り出しプラットホームから人荷が上下移動することの可能なゲートを設け、
前記ゲートは、前記プラットホームに前記ケージが近接した際に、このゲート及びケージの出入口が近接し、略水平移動により人荷がゲート及びケージ間で乗り移りが可能に構成されている人荷昇降装置付き移動昇降式足場。
【請求項２】
前記ゲートは前記ケージの床板と近接しうる他の床板、この他の床板と前記プラットホームの床板との間を人が移動しうる上下移動具及びこれら各要素を囲む覆いを備えている請求項１記載の人荷昇降装置付き移動昇降式足場。
【請求項３】
前記ゲートは前記プラットホームの側面に取り付けられている請求項１又は２記載の人荷昇降装置付き移動昇降式足場。
【請求項４】
前記上下移動具が階段である請求項２記載の人荷昇降装置付き移動昇降式足場。
【請求項５】
前記上下移動具が梯子である請求項２記載の人荷昇降装置付き移動昇降式足場。
【請求項６】
前記プラットホームは前記ケージより上に位置し、前記ゲートは前記プラットホームから下方に向かって張り出している請求項１〜５のいずれかに記載の人荷昇降装置付き移動昇降式足場。
【請求項７】
前記プラットホームは前記ケージより下に位置し、前記ゲートは前記プラットホームから上方に向かって張り出している請求項１〜５のいずれかに記載の人荷昇降装置付き移動昇降式足場。
【請求項８】
前記ケージ及び前記ゲート間で乗り移り可能な対向部分それぞれに設けられた各ドアーは、開閉を検知する各ドアースイッチをそれぞれ有しており、前記移動昇降式足場及び前記人荷昇降装置の動作制御装置は、前記各ドアースイッチで各ドアーの双方が完全に閉っている時のみに動作を許容する請求項１〜７のいずれかに記載の人荷昇降装置付き移動昇降式足場。
【請求項９】
前記人荷昇降装置は、前記ゲート及び前記移動昇降式足場のいずれかとの間に、略水平移動により人荷が前記ゲート及び前記ケージ間で乗り移りが可能な位置への到達時に切り替わる人荷昇降第一スイッチと、前記人荷昇降装置が前記乗り移り可能な位置を超えて前記移動昇降式足場に近接する際に切り替わる人荷昇降第二スイッチとを備えており、前記移動昇降式足場及び前記人荷昇降装置の動作制御装置は、人荷昇降第一、第二スイッチが切り替わった際に前記人荷昇降装置を停止させるものである請求項１〜８のいずれかに記載の人荷昇降装置付き移動昇降式足場。
【請求項１０】
前記移動昇降式足場及び前記ゲートのいずれかは、前記人荷昇降装置との間に、略水平移動により人荷が前記ゲート及び前記ケージ間で乗り移りが可能な位置への到達時に切り替わる移動昇降式足場スイッチを備えており、前記動作制御装置は、前記移動昇降式足場スイッチが切り替わった際に前記人荷昇降装置を停止させるものである請求項９記載の人荷昇降装置付き移動昇降式足場。
【請求項１１】
請求項６記載の人荷昇降装置付き移動昇降式足場を用いた施工方法であって、下方で前記ケージに人が乗り込み、当該ケージを上昇させ、あらかじめ上方で待機する前記プラットホームに取り付けた前記ゲートに人が移動し、当該プラットホームで施工作業を行う人荷昇降装置付き移動昇降式足場を用いた施工方法。
【請求項１２】
請求項７記載の人荷昇降装置付き移動昇降式足場を用いた施工方法であって、上方で前記ケージに人が乗り込み、当該ケージを下降させ、あらかじめ下方で待機する前記プラットホームに取り付けた前記ゲートに人が移動し、当該プラットホームで施工作業を行う人荷昇降装置付き移動昇降式足場を用いた施工方法。
【請求項１３】
請求項６記載の人荷昇降装置付き移動昇降式足場の設置方法であって、前記マストの一部を下方から上方に向かって組み立て、当該マストに前記ケージを取り付け、その後、前記マストに前記プラットホームを取り付け、前記プラットホームに前記ゲートを取り付ける人荷昇降装置付き移動昇降式足場の設置方法。
【請求項１４】
請求項７記載の人荷昇降装置付き移動昇降式足場の設置方法であって、前記マストの一部を下方から上方に向かって組み立て、当該マストに前記プラットホームを取り付け、その後、前記マストに前記ケージを、前記プラットホームに前記ゲートをそれぞれ取り付ける人荷昇降装置付き移動昇降式足場の設置方法。
【請求項１５】
前記ケージの天井部を囲む手摺を設け、当該ケージの天井部で前記マストを上方に向かって順次組み立てる請求項１４記載の人荷昇降装置付き移動昇降式足場の設置方法。
【請求項１６】
請求項７記載の人荷昇降装置付き移動昇降式足場の設置方法であって、前記マストの一部を上方から下方に向かって組み立て、当該マストに前記プラットホームを取り付け、その後、前記マストに前記ケージを、前記プラットホームに前記ゲートをそれぞれ取り付ける人荷昇降装置付き移動昇降式足場の設置方法。
【請求項１７】
請求項１〜１０のいずれかに記載の人荷昇降装置付き移動昇降式足場の設置方法であって、前記移動昇降式足場が前記マストに取り付けられた状態において、前記移動昇降式足場の前面に張り出させたアームに対し、あらかじめ箱状に組み立てられた前記ゲートを前記アームに差し込み固定し、前記ゲートの最上段の手摺を取り付ける人荷昇降装置付き移動昇降式足場の設置方法。
【発明の詳細な説明】
【技術分野】
【０００１】
本発明は、人荷昇降装置付き移動昇降式足場並びにこれらを用いた施工方法及びこれらの設置方法に関する。さらに詳しくは、長手方向を上下方向に配向して設置されたマスト及びこのマストに対し昇降するプラットホームを備えた移動昇降式足場と、前記マストに対し昇降するケージを備えた人荷昇降装置とを備えた人荷昇降装置付き移動昇降式足場並びにこれらを用いた施工方法及びこれらの設置方法に関する。
【背景技術】
【０００２】
上述の移動昇降式足場としては、例えば、次の特許文献１に記載の如きものが知られている。この移動昇降式足場は、主にビルや煙突、橋脚など高さのある構造物の建設・解体・補修等の高所作業においてプラットホームを作業足場として停止させて使用されている。一方、人荷昇降装置は、安全且つ効率的に人荷を地上又は地下に移動させるためのものである。
【０００３】
移動昇降式足場は、作業の為の足場であって、人荷だけを運ぶための道具として使用してはいけない旨が労働安全衛生法第８８条の１項に定められており、基本的には躯体などへの乗り移りや荷物の搬送等が禁止されている。作業者が途中で地上に降りたい場合は、プラットホームを下げる以外に方法は無く、施工性の効率の観点から改善の余地があった。
【０００４】
一方、ロングスパン工事用エレベーターは、建設現場などで足場や躯体に取り付ける人荷を移動する為の昇降装置である。作業をする足場では無いため、作業そのものが禁止されていた。
【０００５】
そして、これらの制約により、同一のマストにプラットホームとケージを備えた人荷昇降装置付き移動昇降式足場は存在していなかった。
【先行技術文献】
【特許文献】
【０００６】
【特許文献１】特開２０１４−２５３２６号公報
【発明の概要】
【発明が解決しようとする課題】
【０００７】
かかる従来の実情に鑑みて、本発明の目的は、マスト上の任意の高さに固定したプラットフォームに対し、人荷を安全にケージで上下運搬、移動させることの可能な人荷昇降装置付き移動昇降式足場並びにこれらを用いた施工方法及びこれらの設置方法を提供することにある。
【課題を解決するための手段】
【０００８】
上記目的を達成するため、本発明に係る人荷昇降装置付き移動昇降式足場の特徴は、長手方向を上下方向に配向して設置されたマスト及びこのマストに対し昇降するプラットホームを備えた移動昇降式足場を設け、前記マストに対し昇降するケージを備えた人荷昇降装置を設け、前記プラットホームには前記ケージ側に張り出しプラットホームから人荷が上下移動することの可能なゲートを設け、前記ゲートは、前記プラットホームに前記ケージが近接した際に、このゲート及びケージの出入口が近接し、略水平移動により人荷がゲート及びケージ間で乗り移りが可能に構成されたことにある。
【０００９】
同特徴によれば、マストの任意の高さに前記プラットフォームを移動させて固定することで、同位置で躯体に対して作業が可能である。また、ケージで下から上へ又は上から下へ人荷を運搬することができる。そして、前記ゲートは、前記プラットホームに前記ケージが近接した際に、このゲート及びケージの出入口が近接し、略水平移動により人荷がゲート及びケージ間で乗り移りが可能であるため、上述の法令に抵触することもない。そして、ゲート内ではプラットホームから人荷が上下移動することが可能であるため、人荷をプラットフォームとケージとの間で安全に移動させることができる。
【００１０】
上記特徴において、前記ゲートは前記ケージの床板と近接しうる他の床板、この他の床板と前記プラットホームの床板との間を人が移動しうる上下移動具及びこれら各要素を囲む覆いを備えてもよい。前記ケージの床板と前記ゲートの他の床とは近接しあうので人荷が乗り移りが可能である。また、前記プラットホームの床板と前記ゲートの他の床板との間は上下移動具で人荷の移動が可能である。しかも、上下移動具と他の床板は覆いに囲われているため、移動の安全性が確保される。
【００１１】
前記ゲートは、例えば前記プラットホームの側面に取り付けると良い。プラットホームやケージの床板の変更等が不要であり、既存のプラットホームやケージを使うことも可能となる。
【００１２】
前記上下移動具は階段としてもよく、梯子としてもよい。
【００１３】
上記各構成において、前記ケージ及び前記ゲート間で乗り移り可能な対向部分それぞれに設けられた各ドアーは、開閉を検知する各ドアースイッチをそれぞれ有しており、前記移動昇降式足場及び前記人荷昇降装置の動作制御装置は、前記各ドアースイッチで各ドアーの双方が完全に閉っている時のみに動作を許容するようにしてもよい。同動作制御装置を含む構成により、前記移動昇降式足場及び前記人荷昇降装置の双方が動作制御され、両ドアー間での人荷の移動の安全が担保される。
【００１４】
また、前記人荷昇降装置は、前記ゲート及び前記移動昇降式足場のいずれかとの間に、略水平移動により人荷が前記ゲート及び前記ケージ間で乗り移りが可能な位置への到達時に切り替わる人荷昇降第一スイッチと、前記人荷昇降装置が前記乗り移り可能な位置を超えて前記移動昇降式足場に近接する際に切り替わる人荷昇降第二スイッチとを備えており、前記移動昇降式足場及び前記人荷昇降装置の動作制御装置は、人荷昇降第一、第二スイッチが切り替わった際に前記人荷昇降装置を停止させるものとしてもよい。同構成により、人荷昇降第一スイッチの不測の不反応に拘わらず、前記人荷昇降装置の移動の安全性が担保される。
【００１５】
これら人荷昇降第一、第二スイッチの構成に加え、さらに、前記移動昇降式足場及び前記ゲートのいずれかは、前記人荷昇降装置との間に、略水平移動により人荷が前記ゲート及び前記ケージ間で乗り移りが可能な位置への到達時に切り替わる移動昇降式足場スイッチを備えており、前記動作制御装置は、前記移動昇降式足場スイッチが切り替わった際に前記人荷昇降装置を停止させるものとしてもよい。同構成によれば、前記人荷昇降装置を任意位置まで降下させた状態で、前記移動昇降式足場をさらに降下させても、両者間での乗り移りが可能となる位置で制止させることができ、作業性が向上する。
【００１６】
（１）前記プラットホームは前記ケージより上に位置し、前記ゲートは前記プラットホームから下方に向かって張り出させてもよい。この場合の人荷昇降装置付き移動昇降式足場を用いた施工方法では、下方で前記ケージに人が乗り込み、当該ケージを上昇させ、あらかじめ上方で待機する前記プラットホームに取り付けた前記ゲートに人が移動し、当該プラットホームで施工作業を行うこととなる。例えば、地面または下層階から作業者が乗り込み、中層階、上層階に固定したプラットホームに移動して施工作業を行う場合である。
【００１７】
（２）一方、前記プラットホームは前記ケージより下に位置し、前記ゲートは前記プラットホームから上方に向かって張り出させてもよい。この場合の人荷昇降装置付き移動昇降式足場を用いた施工方法では、上方で前記ケージに人が乗り込み、当該ケージを下降させ、あらかじめ下方で待機する前記プラットホームに取り付けた前記ゲートに人が移動し、当該プラットホームで施工作業を行う。例えば、上層階から作業者が乗り込み、中層階、下層階に固定したプラットホームに移動して施工作業を行う場合である。ビルの改装や下層階部分がすでに稼働している場合等で、一階部分が施工材料等の運搬に使用できないときには、この種の施工方法が適している。
【００１８】
人荷昇降装置付き移動昇降式足場の設置方法については、上記（１）（２）の場合でそれぞれ次の通りが望ましい。
【００１９】
上記（１）の場合の設置方法では、前記マストの一部を下方から上方に向かって組み立て、当該マストに前記ケージを取り付け、その後、前記マストに前記プラットホームを取り付け、前記プラットホームに前記ゲートを取り付けるとよい。
【００２０】
一方、上記（２）の場合の設置方法では、前記マストの一部を下方から上方に向かって組み立て、当該マストに前記プラットホームを取り付け、その後、前記マストに前記ケージを、前記プラットホームに前記ゲートをそれぞれ取り付けるとよい。ケージとゲートの取付はいずれが先でも、並行して行ってもよい。この場合、前記ケージの天井部を囲む手摺を設け、当該ケージの天井部で前記マストを上方に向かって順次組み立てるとよい。
【００２１】
ところで、上記（２）の場合の設置において、一部の縦孔の工事、高速道路の支柱の工事、ケーソン工事等においては、前記マストを地面からくみ上げられないときがある。このようなときは、前記マストの一部を上方から下方に向かって組み立て、当該マストに前記プラットホームを取り付け、その後、前記マストに前記ケージを、前記プラットホームに前記ゲートをそれぞれ取り付けるとよい。
【００２２】
上記人荷昇降装置付き移動昇降式足場の設置方法のさらなる特徴は、前記移動昇降式足場が前記マストに取り付けられた状態において、前記移動昇降式足場の前面に張り出させたアームに対し、あらかじめ箱状に組み立てられた前記ゲートを前記アームに差し込み固定し、前記ゲートの最上段の手摺を取り付けることにある。同設置方法によれば、手摺の分だけゲートがコンパクトな状態で運搬が可能であり、その後の設置や組み立ても容易である。
【発明の効果】
【００２３】
上記本発明に係る人荷昇降装置付き移動昇降式足場並びにこれらを用いた施工方法及びこれらの設置方法の特徴によれば、マスト上の任意の高さに固定したプラットフォームに対し、人荷を安全にケージで上下運搬、移動させることが可能となるに至った。
【００２４】
本発明の他の目的、構成及び効果については、以下の発明の実施の形態の項から明らかになるであろう。
【図面の簡単な説明】
【００２５】
【図１】プラットホーム及びケージが下に位置する状態の人荷昇降装置付き移動昇降式足場の斜視図である。
【図２】プラットホームが上に、ケージが下にそれぞれ位置する状態の人荷昇降装置付き移動昇降式足場の斜視図である。
【図３】プラットホーム及びケージが上に位置する状態の人荷昇降装置付き移動昇降式足場の斜視図である。
【図４】人荷昇降装置の拡大斜視図である。
【図５】移動昇降式足場の拡大斜視図である。
【図６】ゲートのメッシュを取り除いた状態を示す斜視図である。
【図７】プラットホーム及びゲートの横断面図である。
【図８】ケージ及びゲートの横断面図である。
【図９】ケージが下に位置する第一実施形態における設置手順を示す図であり、（ａ）はケージ設置時、（ｂ）はプラットホーム設置時、（ｃ）はゲート設置時をそれぞれ示す概略正面図である。
【図１０】ケージが上に位置する第二実施形態における設置手順を示す図であり、（ａ）はプラットホーム設置時、（ｂ）はケージ置時、（ｃ）はゲート設置時をそれぞれ示す概略正面図である。
【図１１】図１０の実施形態におけるケージの斜視図である。
【図１２】第三実施形態におけるプラットホーム及びケージが上に位置する状態の人荷昇降装置付き移動昇降式足場の斜視図である。
【図１３】図１２の側面図である。
【図１４】図１２のプラットホーム及びゲートの横断面図である。
【図１５】図１２のケージ及びゲートの横断面図である。
【図１６】第四実施形態におけるプラットホーム及びケージが上に位置する状態の人荷昇降装置付き移動昇降式足場の斜視図である。
【図１７】図１６のケージ及びゲートの横断面図である。
【図１８】図１６の側面図である。
【図１９】第四実施形態における移動昇降式足場の正面部分の拡大図である。
【図２０】第四実施形態における動作制御装置の関連を示すブロック図である。
【発明を実施するための形態】
【００２６】
次に、適宜添付図面を参照しながら、本発明をさらに詳しく説明する。
人荷昇降装置付き移動昇降式足場１、移動昇降式足場３と人荷昇降装置４とを備えている。マスト２は、地面Ｇに設置するベース２ａから長手方向を上下方向に配向して組み上げられ、ビル、マンション、その他の建築物等の躯体Ｃに沿って設置されている。
【００２７】
移動昇降式足場３は、前記マスト２及びこのマストに対し昇降するプラットホーム３１を備えている。一方、人荷昇降装置４は、前記と同じマスト２及びこのマストに対し昇降するケージ４１を備えている。また、プラットホーム３１にはケージ４１側に張り出しプラットホーム３１から人荷が上下移動することの可能なゲート５を設けてある。
【００２８】
移動昇降式足場３のプラットホーム３１は、図１，２，３，５〜７に示すように、上下移動してマスト２の任意位置で停止が可能である。プラットフォーム３１は、作業床３２、手摺３３、マスト２に追随するレールガイド３４、レールガイドでマスト２に噛み合い駆動力となる上下駆動用のモーター３５及びドアー３６を備えている。
【００２９】
人荷昇降装置４のケージ４１は、人荷のみを移動する用途とし、床板４２、天井４３、ハッチ４３ａ、マスト２に追随するレールガイド４４、レールガイドでマスト２に噛み合い駆動力となる上下駆動用のモーター４５及びドアー４６を備えている。ケージ４１の出入口４ｙに設けられたドアー４６はゲート５への乗り移り時の転落防止用であり、プラットホーム３１のドアー３６及びゲート５のドアー５ｋと共に、遮断棒、チェーン、ロープなどの他の転落防止具を使用しても良い。
【００３０】
人荷昇降装置４は、エレベーター構造規格のロングスパン工事用エレベーターに該当する全ての構造条件を満たす構造とした。ケージ４１の長さＬは３ｍ以上とする事となっている。本発明では４ｍとしたが、この長さは３ｍ以上であれば限定されることはない。
【００３１】
また、積載荷重については、エレベーター構造規格において、人の乗る部分は１ｍ2あたり２６０ｋｇ、荷を載せる部分は１ｍ2あたり１００ｋｇと定められているので、これに準じた。
【００３２】
加えて、エレベーター構造規格によるとロングスパン工事用エレベーターの総積載荷重は１０００Ｋｇ未満である。このケージ４１の総床面積は、巾Ｗを１．６ｍ、長さＬを４ｍとしたことによって、６．４ｍ2となり、そこからマスト２部分と、駆動モーターや操作盤など実際には人も荷も載せる事の出来ない部分にあたる０．２５ｍ2を差し引くと、実質６．１５ｍ2となった。よって、図示しない遮断棒を取り付け、人の乗る部分２．４ｍ2と、荷を載せる部分３．７５ｍ2を区別し、（２．４ｍ2×２６０ｋｇ／ｍ2＋３．７５ｍ2×１００ｋｇ／ｍ2）＝９９９ｋｇとして１０００ｋｇ未満となった。
【００３３】
ケージ４１の周囲にはフレームと金網とよりなる覆い４ｘを取り付けた事で、手足が昇降路に出ない構造とした。人の乗る部分に、積載荷重の２倍の強度を備えた頭上覆いとなる天井４３を１．８ｍ以上の高さで設けた。但し、前述の構造に関してはエレベーター構造規格に特に規定が設けられていない為、必ずしもその様な構造でなくとも、本発明の実施は可能である。
【００３４】
図１〜３、５〜８に示すゲート５は前述の人荷昇降装置４とプラットホーム３１の間を行き来する際に使用する、いわゆる昇降路を囲ったものである。このゲート５は、フレーム５ａ及びメッシュ５ｂよりなる覆い５ｘ、下床板５ｃ、上床板５ｄ、並びに、下床板５ｃ及び上床板５ｄの間を昇降するための上下移動具６としての手摺７ａ付きの梯子７を備えている。
【００３５】
プラットホーム３１またはゲート５とケージ４１との間には、両者の衝突を避けると共に両者を規定の間隔で停止させるための図示しないリミッターを設けてある。また、この規定間隔で停止したケージ４１の床板４２とゲート５の下床板５ｃがほぼ同じ高さになるように設定してある。このゲート５は、プラットホーム３１にケージ４１が近接した際に、このゲート５及びケージ４１の出入口４ｙ，５ｙが近接し、略水平移動により人荷がゲート５及びケージ４１間で乗り移りが可能であれば、改変は可能である。
【００３６】
ゲート５には、ケージ４１のドアー４６と重なる同じ位置の出入口５ｙにドアー５ｋが設けられている。これら両ドアー５ｋ，４６には、プラットホーム３１とケージ４１とが定められた位置で組み合わされていなければ扉が開かないインターロック装置を設けてある。両ドアー５ｋ、４６間、並びに、下床板５ｃ及び床板４２それぞれの隙間を４ｃｍ以下とすれば、人荷をゲート５とケージ４１との間で安全に行き来させることが可能である。なお、プラットホーム３１の床板３２とゲートの上床板５ｄとも略同じ高さとしてあり、ドアー３６を設けることで上部開口５ｚからの下方への転落を防ぐことができる。
【００３７】
図９は、上述の実施形態の人荷昇降装置付き移動昇降式足場１を設置する方法を示す。
まず、同図（ａ）の如くマスト２の一部を地面Ｇから上方に向かって組み立て、当該マスト２にケージ４１を取り付ける。その後、同図（ｂ）の如くマスト２にプラットホーム３１を取り付ける。そして、同図（ｃ）の如くプラットホーム３１にゲート５を取り付けるとよい。
【００３８】
この場合の人荷昇降装置付き移動昇降式足場１を用いた施工方法では、下方でケージ４１に人が乗り込み、当該ケージを上昇させ、あらかじめ上方で待機する前記プラットホーム３１に取り付けた前記ゲート５に人が移動し、当該プラットホーム３１で施工作業を行うこととなる。例えば、地面Ｇまたは下層階から作業者が乗り込み、中層階、上層階に固定したプラットホーム３１に移動して施工作業を行う場合である。
【００３９】
次に、本発明の他の実施形態について説明する。なお、以下の説明では、上記実施形態と同様の部材には同一の符号を附してある。
【００４０】
図１０に示す第二実施形態では、プラットホーム３１はケージ４１より下に位置し、ゲート５はプラットホーム３１から上方に向かって張り出させてある。この場合の設置方法では、同図（ａ）の如くマスト２の一部を地面Ｇからから上方に向かって組み立て、マスト２に前記プラットホーム３１を取り付ける。その後、同図（ｂ）（ｃ）に示すように前記マスト２に前記ケージ４１を、前記プラットホーム３１に前記ゲート５をそれぞれ取り付けるとよい。ケージ４１とゲート５の取付はいずれが先でも、並行して行ってもよい。この場合、図１１に示すように前記ケージ４１の天井部を囲む上手摺４７を設け、当該ケージの天井部で前記マスト２を上方に向かって順次組み立てるとよい。
【００４１】
この場合の人荷昇降装置付き移動昇降式足場１を用いた施工方法では、上方でケージ４１に人が乗り込み、当該ケージ４１を下降させ、あらかじめ下方で待機する前記プラットホーム３１に取り付けた前記ゲート５に人が移動し、当該プラットホーム３１で施工作業を行う。例えば、上層階から作業者が乗り込み、中層階、下層階に固定したプラットホーム３１に移動して施工作業を行う場合である。ビルの改装や下層階部分がすでに稼働している場合等で、一階部分が施工材料等の運搬に使用できないときには、この種の施工方法が適している。
【００４２】
図１２〜１５に示す第三実施形態では、ゲート５の上下移動具６として、階段８が用いられている。このゲート５では、フレーム５ａ及びメッシュ５ｂよりなる覆い５ｘ、下床板５ｃ、上床板５ｄ、中下床板５ｅ、中上床板５ｆ、階段８として下階段８ａ、中階段８ｂ、上階段８ｃを用いている。
【００４３】
ゲート５は、プラットホーム３１の側面３１ｘ，３１ｙ，３１ｚのうち、前側面３１ｘマスト２の位置に設けられている。プラットホーム３１自体はレールガイド３４の下部にトラス３９ａにより支えられ、ゲート５はプラットホーム３１の一部とレールガイド３４の下部にトラス３９ｂにより固定される。プラットホーム３１の前側面３ｘにゲート５を装着することで、ケージ４１との干渉も防ぐことができ、これらの間の乗り移りもスムースとなる。なお、マスト２が例えばプラットホーム３１の右端に位置する場合には、右側面３１ｙにゲート５を設置して、横からケージ４１に乗り移るようにすることも可能である。
【００４４】
次に、図１６〜２０を参照しながら、本発明の第四実施形態について説明する。本実施形態では、ゲート５の階段８ｄ，８ｅが２段となると共に手摺７ｂ，７ｃを備えており、安全性を担保するためのスイッチが設けられている。上記各実施形態でも、本実施形態の構成要素は適用可能である。
【００４５】
本実施形態では、ゲート５の階段８ｄ，８ｅを２段とすることで、ゲート５全体の上下長さを短縮させている。しかも、ゲート５最上段の手摺５ｇを後付けできるようにしてある。よって、手摺５ｇを除くゲート５の主要部をあらかじめ組み立てておいてもコンパクトであるために運搬がしやすく、施工面でも効率的である。取り付けに際しては、移動昇降式足場３がマスト２に取り付けられた状態において、移動昇降式足場３の前面に複数本張り出させたアーム３７に対し、あらかじめ箱状に組み立てられたゲート５をクレーン等で吊り上げて差し込み固定する。その後、ゲート５の最上段の手摺５ｇを取り付けるとよい。
【００４６】
ケージ４１の出入口４ｙ及びゲート５の出入口５ｙには、第一実施形態同様にそれぞれドアー４６，５ｋを設けてある。しかし、ゲート５の最上段の上部開口５ｚ（図７参照）とプラットフォーム３１との間にはドアーを設けずに常時プラットフォーム３１とゲート５間は往来が可能となっている。両ドアー５ｋ，４６には、上述のインターロック装置を設けてある。このインターロック装置は、ドア第一スイッチＳＷ１１、ドア第二スイッチＳＷ１２及び動作制御装置６５よりなる。各スイッチ及びドアーは、ＯＮ−ＯＦＦのためのレバー６１を備えたスイッチ６０とドアー４６等に設けられドアー４６等が閉ることでレバー６１に当たりスイッチ６０を切り替える当て板６２を有している。動作制御装置６５はドア第一スイッチＳＷ１１及びドア第二スイッチＳＷ１２の双方が例えばＯＮのときに上記両モーター３５，４５の動作を許容する。これにより、移動昇降式足場３及び人荷昇降装置４の動作制御装置６５は、前記各ドアースイッチで各ドアーの双方が完全に閉っている時のみに動作を許容する。
【００４７】
プラットホーム３１またはゲート５とケージ４１との間に設けた上記リミッターは、ケージ４１側のリミッターとプラットホーム３１側のリミッターとがある。
【００４８】
前者は２段階になっており、人荷昇降第一スイッチＳＷ２１、人荷昇降第二スイッチＳＷ２２及び動作制御装置６５よりなる。人荷昇降第一スイッチＳＷ２１はケージ４１の底部分に設けられ、レバー６１がゲート５の底部分に当たることにより切り替わり、略水平移動により人荷がゲート及びケージ間で乗り移りが可能な位置への到達時を検知する。これにより、動作制御装置６５は人荷昇降装置４のモーター４５を停止させる。
【００４９】
人荷昇降第二スイッチＳＷ２２は、人荷昇降装置４が乗り移り可能な位置を超えて移動昇降式足場３に近接する際に切り替わる。人荷昇降第二スイッチＳＷ２２は、レバー６１を有するスイッチ６０を備え、移動昇降式足場３から下方に伸びるスイッチアーム６３の先端を９０度折り曲げて形成した当て板６３ａに当たることで切り替わる。これにより、動作制御装置６５は人荷昇降装置４のモーター４５を停止させる。
【００５０】
プラットホーム３１側のリミッターについて説明する。移動昇降式足場３及びゲート５のいずれかは、人荷昇降装置４との間に、略水平移動により人荷がゲート５及びケージ４１間で乗り移りが可能な位置への到達時に切り替わる移動昇降式足場スイッチＷ３１を備えている。この移動昇降式足場スイッチＷ３１は、先のスイッチ６０を備え、当て板６４ａを有するスイッチアーム６４がレバー６１に当たり切り替わる。これにより、動作制御装置６５は、人荷昇降装置を停止させる。このように、インターロック装置及びリミッターを設けることで、通常のエレベーターにおけるような人荷昇降装置４の動作のみならず、移動昇降式足場３をも動かして作業の効率性を向上させつつ、ゲート５とケージ４１間の乗り移りの安全性を確保している。
【産業上の利用可能性】
【００５１】
本発明は、建築工事等に用いる人荷昇降装置付き移動昇降式足場として利用することができる。例えば、地面または下層階から作業者が乗り込み、中層階、上層階に固定したプラットホームに移動して施工作業を行う場合である。これとは異なり、上層階から作業者が乗り込み、中層階、下層階に固定したプラットホームに移動して施工作業を行う場合にも用いることができる。ビルの改装や下層階部分がすでに稼働している場合等で、一階部分が施工材料等の運搬に使用できないときには、この種の施工方法が適している。一部の縦孔の工事、高速道路の支柱の工事、ケーソン工事等においては、前記マストを地面からくみ上げられないときがある。このようなときは、前記マストの一部を上方から下方に向かって組み立て、当該マストに前記プラットホームを取り付け、その後、前記マストに前記ケージを、前記プラットホームに前記ゲートをそれぞれ取り付けても良い。
【符号の説明】
【００５２】
１：人荷昇降装置付き移動昇降式足場、２：マスト、２ａ：ベース、３：移動昇降式足場、３１：プラットホーム、３１ｘ：プラットホームの前側面、３１ｙ：右側面、３１ｚ：左側面、３２：作業床、３３：手摺、３４：レールガイド、３５：モーター、３６：ドアー、３７：アーム、３９ａ：トラス、３９ｂ：トラス、４：人荷昇降装置、４ｘ：覆い（囲い）、４ｙ：出入口、４１：ケージ、４２：床板、４３：天井、４３ａ：ハッチ、４４：レールガイド、４５：モーター、４６：ドアー、４７：上手摺、５，５’：ゲート、５ａ：フレーム、５ｂ：メッシュ、５ｃ：下床板（他の床板）、５ｄ：上床板、５ｅ：中下床板、５ｆ：中上床板、５ｇ：手摺、５ｋ：ドアー、５ｘ：覆い（囲い）、５ｙ：出入口、５ｚ：上部開口、６：上下移動具、７：梯子、７ａ，７ｂ，７ｃ：手摺、８：階段、８ａ：下階段、８ｂ：中階段、８ｃ：上階段、８ｄ：下階段、８ｅ：上階段、６０：スイッチ、６１：レバー、６２：当て板、６３：スイッチアーム、６３ａ：当て板、６４：スイッチアーム、６４ａ：当て板、６５：動作制御装置、ＳＷ１１：ドア第一スイッチ、ＳＷ１２：ドア第二スイッチ、ＳＷ２１：人荷昇降第一スイッチ、ＳＷ２２：人荷昇降第二スイッチ、Ｗ３１：移動昇降式足場スイッチ、Ｇ：地面、Ｃ：躯体
【図１】
2019112218.tif 000003
【図２】
2019112218.tif 000004
【図３】
2019112218.tif 000005
【図４】
2019112218.tif 000006
【図５】
2019112218.tif 000007
【図６】
2019112218.tif 000008
【図７】
2019112218.tif 000009
【図８】
2019112218.tif 000010
【図９】
2019112218.tif 000011
【図１０】
2019112218.tif 000012
【図１１】
2019112218.tif 000013
【図１２】
2019112218.tif 000014
【図１３】
2019112218.tif 000015
【図１４】
2019112218.tif 000016
【図１５】
2019112218.tif 000017
【図１６】
2019112218.tif 000018
【図１７】
2019112218.tif 000019
【図１８】
2019112218.tif 000020
【図１９】
2019112218.tif 000021
【図２０】
2019112218.tif 000022